(57)【特許請求の範囲】
【請求項１】
所定の水中音響関連機器の収納空間を有する第１のケースおよび第２のケースを有し、
前記第１のケースおよび前記第２のケースは、前記第１のケースと前記第２のケースとの接続部位を支点として開閉可能に構成されており、
前記第２のケースには錘部材が設けられており、
前記錘部材は、前記第２のケースを二等分する位置を基準として前記支点側に設けられている、
収納構造。
【請求項２】
前記収納構造は、
前記接続部位において前記第１のケースと前記第２のケースとを接続する接続部材を備える、
請求項１に記載の収納構造。
【請求項３】
前記接続部材は、前記第１のケースと前記第２のケースとに貼り付けられる粘着テープである、
請求項２に記載の収納構造。
【請求項４】
前記錘部材は、前記水中音響関連機器の前記収納空間よりも下部に設けられている、
請求項１に記載の収納構造。
【請求項５】
前記水中音響関連機器は、シーアンカ、ダンパ、音響センサおよびケーブルのうち少なくともいずれか一つを含む、
請求項１に記載の収納構造。
【発明の詳細な説明】
【技術分野】
【０００１】
本発明は、収納構造に関する。
【背景技術】
【０００２】
従来、航空機などから海洋に投下される音響センサの波による動作防止を行うための水中音響関連機器（例えば、シーアンカなど）を収納する収納構造に関する技術が開示されている。例えば、展張後に不要となる二つのケースを展張後に分離させることが可能な収納構造に関する技術が開示されている（例えば、特許文献１参照）。
【先行技術文献】
【特許文献】
【０００３】
【特許文献１】特開２００９−２９８２１１号公報
【発明の概要】
【発明が解決しようとする課題】
【０００４】
しかし、展張後に不要となる二つのケースを展張後に分離させつつ、水中音響関連機器の水中での展張をより安定的に行うことが可能な技術が提供されることが望まれる。
【課題を解決するための手段】
【０００５】
上記問題を解決するために、本発明のある観点によれば、所定の水中音響関連機器の収納空間を有する第１のケースおよび第２のケースを有し、前記第１のケースおよび前記第２のケースは、前記第１のケースと前記第２のケースとの接続部位を支点として開閉可能に構成されており、前記第２のケースには錘部材が設けられており、前記錘部材は、前記第２のケースを二等分する位置を基準として前記支点側に設けられている、収納構造が提供される。
【０００６】
前記収納構造は、前記接続部位において前記第１のケースと前記第２のケースとを接続する接続部材を備えてもよい。
【０００７】
前記接続部材は、前記第１のケースと前記第２のケースとに貼り付けられる粘着テープであってもよい。
【０００８】
前記錘部材は、前記水中音響関連機器の前記収納空間よりも下部に設けられていてもよい。
【００１０】
前記水中音響関連機器は、シーアンカ、ダンパ、音響センサおよびケーブルのうち少なくともいずれか一つを含んでもよい。
【発明の効果】
【００１１】
以上説明したように本発明によれば、展張後に不要となる二つのケースを展張後に分離させつつ、水中音響関連機器の水中での展張をより安定的に行うことが可能となる。
【図面の簡単な説明】
【００１２】
【図１Ａ】シーアンカの一般的な収納構造の例を示す図である。
【図１Ｂ】シーアンカが水中において正常に展張される例を説明するための図である。
【図２Ａ】シーアンカが水中において正常に展張されない例を説明するための図である。
【図２Ｂ】シーアンカが水中において正常に展張されない例を説明するための図である。
【図３Ａ】本実施形態に係る収納構造の斜視図である。
【図３Ｂ】本実施形態に係る収納構造の上面図である。
【図３Ｃ】第１のケースおよび第２のケースが外ケースに収納される様子を説明するための図である。
【図４Ａ】本実施形態に係る収納構造の動作の例を側面から示した図である。
【図４Ｂ】本実施形態に係る収納構造の動作の例を上面から示した図である。
【発明を実施するための形態】
【００１３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１４】
また、本明細書および図面において、実質的に同一の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００１５】
（０．背景）
まず、本発明の実施形態の背景について説明する。なお、以下では、収納構造に収納される水中音響関連機器としてシーアンカを例に挙げて説明するが、シーアンカの代わりに、あるいは、シーアンカに追加して、他の水中音響関連機器が用いられてよい。例えば、収納構造に収納される水中音響関連機器は、シーアンカ、ダンパ、音響センサおよびケーブルのうち少なくともいずれか一つを含んでよい。
【００１６】
図１Ａは、シーアンカの一般的な収納構造の例を示す図である。図１Ａに示すように、シーアンカの一般的な収納構造は、第１のケース９１−１と、第２のケース９１−２とを備える（Ｓ６１）。第１のケース９１−１は、上側仕切り板９２−１と下側仕切り板９３−１とを内部に有しており、第２のケース９１−２は、上側仕切り板９２−２と下側仕切り板９３−２とを内部に有している。下側仕切り板９３−１の下面には、凸部９４が設けられ、下側仕切り板９３−２には、凹部９５が設けられている。
【００１７】
第１のケース９１−１と第２のケース９１−２とが閉じられた状態においては、上側仕切り板９２−１および上側仕切り板９２−２と下側仕切り板９３−１および下側仕切り板９３−２との間に、シーアンカを収納することが可能である（Ｓ６２）。また、第１のケース９１−１と第２のケース９１−２とが閉じられた状態においては、第１のケース９１−１の凸部９４が第２のケース９１−２の凹部９５に係合しており、所望のタイミングで第１のケース９１−１と第２のケース９１−２とが分離するようになっている。
【００１８】
図１Ｂは、シーアンカが水中において正常に展張される例を説明するための図である。図１Ｂに示すように、第１のケース９１−１および第２のケース９１−２が閉じられた状態において、第１のケース９１−１および第２のケース９１−２の内部にシーアンカ９６が収納されている（Ｓ７１）。このとき、凸部９４が下側仕切り板９３−１の下面に設けられているため、第１のケース９１−１に上向きの力Ｆ８が働けば、凹部９５から凸部９４が正常に外れる（Ｓ７２）。
【００１９】
また、凹部９５から凸部９４が正常に外れれば、第１のケース９１−１と第２のケース９１−２とが開かれた状態となるため（Ｓ７３）、第１のケース９１−１および第２のケース９１−２の内部に収納されていたシーアンカ９６が正常に展張される。しかし、一般的な収納構造においては、このように必ずシーアンカ９６が正常に展張されるとは限らず、シーアンカ９６が正常に展張されない場合もある。
【００２０】
図２Ａおよび図２Ｂは、シーアンカが水中において正常に展張されない例を説明するための図である。図２Ａに示すように、第１のケース９１−１および第２のケース９１−２が閉じられた状態において、第１のケース９１−１および第２のケース９１−２の内部にシーアンカ９６が収納されている（Ｓ８１）。このとき、凸部９４が下側仕切り板９３−１の下面に設けられているため、第２のケース９１−２に上向きの力Ｆ９が働いても、凹部９５から凸部９４が外れない（Ｓ８２）。
【００２１】
より具体的には、凸部９４が下側仕切り板９３−１の下面に設けられているため、第２のケース９１−２に上向きの力Ｆ９が働いても、第２のケース９１−２の下側仕切り板９３−２が第１のケース９１−１の下側仕切り板９３−１を力Ｆ９で押してしまうという状況が生じる（Ｓ９１）。その結果、凹部９５から凸部９４が外れないために、第１のケース９１−１と第２のケース９１−２とは閉じられた状態のままとなり（Ｓ９２）、シーアンカ９６は正常に展張されない。
【００２２】
シーアンカ９６は正常に展張されない場合、例えば、水中に位置される音響センサの動きを抑えるシーアンカ９６の機能が発揮されないため、音響センサが水中で動き回ってしまい、音響センサによって検出されるノイズが増加してしまうという状況も生じ得る。そこで、本実施形態においては、展張後に不要となる二つのケースを展張後に分離させつつ、シーアンカ９６の水中での展張をより安定的に行うことが可能な技術について主に提案する。
【００２３】
（１．実施形態の詳細）
続いて、本実施形態の詳細について説明する。
【００２４】
（１−１．構成の説明）
まず、本実施形態に係る収納構造について説明する。図３Ａは、本実施形態に係る収納構造の斜視図である。また、図３Ｂは、本実施形態に係る収納構造の上面図である。図３Ａおよび図３Ｂに示すように、本実施形態に係る収納構造１は、第１のケース１１−１および第２のケース１１−２を有している。図３Ａおよび図３Ｂには、第１のケース１１−１および第２のケース１１−２が閉じられた状態が示されている。
【００２５】
なお、本実施形態においては、収納構造１が、上面が開口された円筒形状を有する場合を主に説明する。しかし、収納構造１の形状は特に限定されない。例えば、収納構造１は、四角柱形状であってもよいし、楕円柱形状であってもよい。また、第１のケース１１−１と第２のケース１１−２とは、同サイズでなくてもよいし、同形状でなくてもよい。
【００２６】
また、第１のケース１１−１と第２のケース１１−２とは、第１のケース１１−１と第２のケース１１−２との接続部位を支点Ｐ０として、開閉可能に構成されている。収納構造１は、この接続部位において第１のケース１１−１と第２のケース１１−２とを接続する接続部材１２を備えている。なお、図３Ａおよび図３Ｂに示した例では、接続部材１２が、第１のケース１１−１と第２のケース１１−２とに貼り付けられる粘着テープであるが、接続部材１２は、粘着テープ以外（例えば、蝶番など）であってもよい。
【００２７】
また、第２のケース１１−２には、錘部材１３が設けられている。ここで、錘部材１３が設けられる位置は限定されない。しかし、図３Ｂに示すように、錘部材１３は、第２のケース１１−２を二等分する位置（例えば、第２のケース１１−２の重心Ｐ１を通り、第２のケース１１−２を二等分する面Ｌ１）を基準として支点Ｐ０側に設けられるのがよい。また、錘部材１３は、後述する仕切り板上面、若しくは下面の全面、またはコスト削減や収納容積の減少を考慮して仕切り板上面、若しくは下面の面一部に取り付けられるものであってもよい。錘部材１３の素材は限定されないが、海水よりも単位体積当たりの重量が大きい物体（例えば、金属材料など）が用いられればよい。
【００２８】
図３Ｃは、第１のケース１１−１および第２のケース１１−２が外ケースに収納される様子を説明するための図である。図３Ｃに示すように、第１のケース１１−１には仕切り板１４−１が設けられ、第２のケース１１−２には仕切り板１４−２が設けられており、その上にシーアンカ本体２１を収納可能にされていてよい（Ｓ１１）。そして、シーアンカ本体２１が第１のケース１１−１および第２のケース１１−２の内部に収納される（Ｓ１２）。
【００２９】
ここで、錘部材１３は、シーアンカ本体２１の展張を妨げないようにするため、シーアンカ本体２１の収納空間よりも下部に設けられているのがよい。例えば、錘部材１３は、図３Ｃに示したように、仕切り板１４−２の上面に設けられていてもよい。あるいは、錘部材１３は、仕切り板１４−２の下面に設けられていてもよい。
【００３０】
また、シーアンカ本体２１には、上方に伸びる分離索２２−１と下方に伸びる分離索２２−２が付されている。上方に伸びる分離索２２−１は、海面に浮かぶフロート（「ブイ」とも言う。）に繋がっている。一方、下方に伸びる分離索２２−２は、仕切り板１４−２に設けられた孔を通って音響センサ３０に繋がっている。第１のケース１１−１および第２のケース１１−２と接続部材１２と音響センサ３０とは、外ケース４０に収納される。
【００３１】
（１−２．動作の説明）
続いて、本実施形態に係る収納構造１の動作について説明する。図４Ａは、本実施形態に係る収納構造１の動作の例を側面から示した図である。また、図４Ｂは、本実施形態に係る収納構造１の動作の例を上面から示した図である。まず、静止時においては、第１のケース１１−１および第２のケース１１−２は、開く方向にシーアンカ２０から力を受けるが、外ケース４０との隙間が十分に小さければ、閉じられたままである（Ｓ３１）。
【００３２】
このように、第１のケース１１−１および第２のケース１１−２と外ケース４０との隙間は十分に小さいことが想定されるため、第１のケース１１−１および第２のケース１１−２を接続する接続部材１２としては、粘着テープを用いるのがよい。粘着テープは、通常は薄いため、第１のケース１１−１および第２のケース１１−２と外ケース４０との小さな隙間にも十分に位置させることが可能だからである。
【００３３】
続いて、フロートに繋がったシーアンカ２０は、自重によって沈降する第１のケース１１−１および第２のケース１１−２から引き上げられる（Ｓ２１）。シーアンカ２０が第１のケース１１−１および第２のケース１１−２から引き上げられると、シーアンカ２０によって音響センサ３０が上方に引っ張られ、第１のケース１１−１および第２のケース１１−２と音響センサ３０とが連なって外ケース４０から引き上げられる（Ｓ２２）。
【００３４】
外ケース４０から引き上げられた第１のケース１１−１および第２のケース１１−２は、第２のケース１１−２に設けられている錘部材１３によって傾く（Ｓ２３）。このとき、錘部材１３が、第２のケース１１−２を二等分する位置を基準として支点Ｐ０側に設けられていれば、支点Ｐ０側が下になるように第１のケース１１−１および第２のケース１１−２が傾くため、第２のケース１１−２に対して開方向の力Ｆ１が働き（Ｓ３２）、支点Ｐ０を基準として第２のケース１１−２が力Ｆ２によって回転し始める（Ｓ３３）。
【００３５】
その後、支点Ｐ０を基準とした第２のケース１１−２の回転が進行し、第２のケース１１−２が第１のケース１１−１から分離する（Ｓ２４、Ｓ３４）。このように、本実施形態に係る収納構造１によれば、展張後に不要となる第１のケース１１−１および第２のケース１１−２を展張後に分離させつつ、シーアンカ９６の水中での展張をより安定的に行うことが可能となる。
【００３６】
（１−３．効果の説明）
本発明の実施形態によれば、シーアンカ２０の収納空間を有する第１のケース１１−１および第２のケース１１−２を有し、第１のケース１１−１および第２のケース１１−２は、第１のケース１１−１と第２のケース１１−２との接続部位を支点として開閉可能に構成されており、第２のケース１１−２には錘部材１３が設けられている、収納構造１が提供される。
【００３７】
かかる構成によれば、錘部材１３によって第１のケース１１−１および第２のケース１１−２が水中で傾くため、水中で第２のケース１１−２が支点を基準として回転し始め、第１のケース１１−１から第２のケース１１−２が分離する。そのため、展張後に不要となる第１のケース１１−１および第２のケース１１−２を展張後に分離させることが可能である。
【００３８】
また、一般的な収納構造とは異なり、本発明の実施形態に係る収納構造１には、係合部分なども存在しない。そのため、本発明の実施形態によれば、シーアンカ２０の水中での展張をより安定的に行うことが可能となり、収納構造１を簡易的に組み立てが可能となり、収納構造１の組み立てに要する時間も短縮することが可能となる。
【００３９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００４０】
例えば、上記においては、収納構造１に収納される水中音響関連機器としてシーアンカ２０を例に挙げて説明したが、シーアンカ２０の代わりに、あるいは、シーアンカ２０に追加して、他の水中音響関連機器が用いられてよい。例えば、収納構造１に収納される水中音響関連機器は、シーアンカ、ダンパ、音響センサおよびケーブルのうち少なくともいずれか一つを含んでよい。
【符号の説明】
【００４１】
１      収納構造
１１−１    第１のケース
１１−２    第２のケース
１２    接続部材
１３    錘部材
１４    仕切り板
２０    シーアンカ
２１    シーアンカ本体
２２    分離索
３０    音響センサ
４０    外ケース
Ｐ０    支点
【図１Ａ】
0006699224.tif 000002
【図１Ｂ】
0006699224.tif 000003
【図２Ａ】
0006699224.tif 000004
【図２Ｂ】
0006699224.tif 000005
【図３Ａ】
0006699224.tif 000006
【図３Ｂ】
0006699224.tif 000007
【図３Ｃ】
0006699224.tif 000008
【図４Ａ】
0006699224.tif 000009
【図４Ｂ】
0006699224.tif 000010